(57)【要約】本発明は、ＵＶ  ＬＥＤを使用した携帯式クリーニング歯ブラシケース(１)及び消毒滅菌方法に関する。歯ブラシケース(１)内に第１のＰＣＢ(２１)が設置され、第１のＰＣＢ(２１)の一端には、第２のＰＣＢ(２２)が直交する方向に嵌挿接続され、第２のＰＣＢ(２２)の他端に電池(２３)が設置され、電池(２３)の一端側の第２のＰＣＢ(２２)の端には、第１の電池ばね(４１)が設置され、第１の電池ばね(４１)の反対側の端に第２の電池ばね(４２)が設置され、第１の電池ばね(４１)と第２の電池ばね(４２)との間に電池(２３)が挟まれて設置され、第２の電池ばね(４２)と第２のＰＣＢ(２２)とは電線(５)を介して接続され、第１のＰＣＢ(２１)にＬＥＤ(６)が設置され、第２のＰＣＢ(２２)に複数のスイッチユニット(７１，７２)が設置される。方法は、上部蓋（１４）を閉じると、上部蓋（１４）における磁石（１４５）が同極反発の原理により第２のＰＣＢ（２２）におけるスイッチユニット（７２）における磁石（７２３）を押し下げ、スイッチユニット（７２）における磁石（７２３）及びＰＣプラスチック蓋（７２１）が歯ブラシケース（１）における凹穴内に下向きに摺動することにより、スイッチの伸縮柱（７２４）を圧縮して更にスイッチユニット（７２）をＯＮにし、遮光蓋（８）がＵＶ光を遮断し、第２のＰＣＢ（２２）はＬＥＤ（６）を発光させ消毒滅菌するように駆動することと、上部蓋（１４）を開くと、第２のＰＣＢ（２２）におけるスイッチユニット（７２）における磁石（７２３）に付与した圧力がなくなり、スイッチの伸縮柱（７２４）が自体の弾性力によりスイッチユニット（７２４）における磁石（７２３）及びＰＣプラスチック蓋（７２１）を歯ブラシケース（１）における凹穴内に上向きに摺動して元の位置に戻るように押し上げることにより、スイッチユニット（７２）をＯＦＦにし、第２のＰＣＢ（２２）は、ＬＥＤ（６）の発光を停止させ消毒滅菌作業を停止するように駆動することと、を含む。【選択図】図１
2020525091.tif 000002
【特許請求の範囲】
【請求項１】
歯ブラシケースを含む、ＵＶ  ＬＥＤを使用した携帯式クリーニング歯ブラシケースであって、前記歯ブラシケース内に第１のＰＣＢが設置され、第１のＰＣＢの一端には、第２のＰＣＢが直交する方向に嵌挿接続され、第２のＰＣＢの他端に電池が設置され、前記電池の一端側の第２のＰＣＢの端には、第１の電池ばねが設置され、前記第１の電池ばねの反対側の端には第２の電池ばねが設置され、第１の電池ばねと第２の電池ばねとの間に電池が挟まれて設置され、第２の電池ばねと第２のＰＣＢとは電線を介して接続され、前記第１のＰＣＢにＬＥＤが設置され、前記第２のＰＣＢに複数のスイッチユニットが設置されることを特徴とする、携帯式クリーニング歯ブラシケース。
【請求項２】
ＰＣプラスチック蓋が前記スイッチユニットの伸縮柱を覆うように設置され、前記ＰＣプラスチック蓋の内部凹み室に磁石が設置されることを特徴とする、請求項１に記載のＵＶ  ＬＥＤを使用した携帯式クリーニング歯ブラシケース。
【請求項３】
ＵＶ  ＬＥＤ室の上に安全を確保するための遮光蓋が設置され、前記遮光蓋の第２のＰＣＢの第１のスイッチユニットに対向する位置に第３の凹穴が設置され、第３の凹穴内に第３の磁石が設置され、前記第１のＰＣＢのＬＥＤとＵＶ  ＬＥＤ室との間には光透過板が挟まれることを特徴とする、請求項１に記載のＵＶ  ＬＥＤを使用した携帯式クリーニング歯ブラシケース。
【請求項４】
前記歯ブラシケースは、電池室と遮光シリコーンシートで分割された歯ブラシ室と、ＵＶ  ＬＥＤ室とで構成され、歯ブラシケースの底部が水が電池室に入るのを防ぐための底部蓋で覆われ、底部蓋における電池室に位置する部位に電池蓋がピン接合され、歯ブラシケースの天面に上部蓋がピン接合され、上部蓋における第２のＰＣＢの第２のスイッチユニットに対向する位置に第４の凹穴が設置され、第４の凹穴内に第４の磁石が設置され、上部蓋には、歯ブラシ消毒ケースが作業しているかを観察するための貫通穴が設置され、前記貫通穴内に光透過プラグが設置され、第２のＰＣＢには、第１のスイッチユニットと第２のスイッチユニットとが設置され、前記２つのスイッチユニットにそれぞれ第１のＰＣプラスチック蓋と第２のＰＣプラスチック蓋が設置され、第１のＰＣプラスチック蓋と第２のＰＣプラスチック蓋内には第１の凹穴と第２の凹穴が設置され、第１の凹穴と第２の凹穴内にそれぞれ第１の磁石と第２の磁石が設置され、歯ブラシケースは、ネジで底部蓋に取り付けられることを特徴とする、請求項１に記載のＵＶ  ＬＥＤを使用した携帯式クリーニング歯ブラシケース。
【請求項５】
前記歯ブラシケースの底部には、２つの角形溝が設置され、その上部に歯ブラシを固定するためのシリコーンパッドが設置され、前記シリコーンパッドは、それぞれ前記角形溝に嵌合する角形ブロックと、二つの角形ブロックの隣接する端から突き出すドームとからなることを特徴とする、請求項４に記載のＵＶ  ＬＥＤを使用した携帯式クリーニング歯ブラシケース。
【請求項６】
前記遮光蓋と歯ブラシケースとは、歯ブラシ室に位置する歯ブラシケースの側壁に設けられる留め金と留め溝によって固定され、前記遮光蓋の下側の空間に、歯ブラシをＬＥＤに向けるように配置して、上部蓋を閉じると、歯ブラシの自動洗浄を開始することを特徴とする、請求項４に記載のＵＶ  ＬＥＤを使用した携帯式クリーニング歯ブラシケース。
【請求項７】
前記上部蓋は、一端が歯ブラシケースと蝶番を介してピン接合し、他端が歯ブラシケースと留め金を介して接続し、歯ブラシケースの底部と底部蓋には、ＵＶ光の外への出射を極小化させかつ貫通するドレーンが設置され、ドレーンにおいて歯ブラシケースと底部蓋との間に防水リングが設置されることを特徴とする、請求項４に記載のＵＶ  ＬＥＤを使用した携帯式クリーニング歯ブラシケース。
【請求項８】
前記第１のＰＣＢが、ＵＶ  ＬＥＤ室の外壁と、電池室に設けられる止めブロックとに挟まれて固定されることを特徴とする、請求項１に記載のＵＶ  ＬＥＤを使用した携帯式クリーニング歯ブラシケース。
【請求項９】
ＵＶ  ＬＥＤを使用した携帯式クリーニング歯ブラシケースにより消毒滅菌する方法であって、
（１）遮光蓋をＵＶ  ＬＥＤ室の上に取り付け、遮光蓋における第３の磁石が同極反発の原理により第２のＰＣＢにおける第１のスイッチユニットにおける第１の磁石を押し下げ、第１のスイッチユニットにおける第１の磁石及び第１のＰＣプラスチック蓋が歯ブラシケースにおける凹穴１内に下向きに摺動することにより、第１のスイッチの伸縮柱を圧縮して第１のスイッチユニットをＯＮにすることと、
（２）上部蓋を閉じると、上部蓋における第４の磁石が同極反発の原理により第２のＰＣＢにおける第２のスイッチユニットにおける第２の磁石を押し下げ、第２のスイッチユニットにおける第２の磁石及び第２のＰＣプラスチック蓋が歯ブラシケースにおける凹穴２内に下向きに摺動することにより、第２のスイッチの伸縮柱を圧縮して更に第２のスイッチユニットをＯＮにし、２つのスイッチユニットを同時にＯＮにすることにより、第２のＰＣＢは、ＬＥＤを発光させ消毒滅菌するように駆動することと、
（３）上部蓋を開くと、第２のＰＣＢにおける第２のスイッチユニットにおける第２の磁石に付与した圧力がなくなり、第２のスイッチの伸縮柱が自体の弾性力により第２のスイッチユニットにおける第２の磁石及び第２のＰＣプラスチック蓋を歯ブラシケースにおける凹穴内に上向きに摺動して元の位置に戻るように押し上げることにより、第２のスイッチユニットをＯＦＦにし、第２のＰＣＢは、ＬＥＤの発光を停止させ消毒滅菌作業を停止するように駆動することと、
（４）遮光蓋を取り外すと、第２のＰＣＢにおける第１のスイッチユニットにおける第１の磁石に付与した圧力がなくなり、第１のスイッチの伸縮柱が自体の弾性力により第１のスイッチユニットにおける第１の磁石及び第１のＰＣプラスチック蓋を歯ブラシケースにおける凹穴内に上向きに摺動して元の位置に戻るように押し上げることにより、第１のスイッチユニットをＯＦＦにし、第２のＰＣＢは、ＬＥＤの発光を停止させ消毒滅菌作業を停止するように駆動することと、
（５）前記ステップ（３）とステップ（４）のいずれかが発生する場合、第２のＰＣＢはＬＥＤの発光が停止して消毒滅菌作業が停止するように駆動し、遮光蓋がＵＶ  ＬＥＤ室の上に取り付けられると共に、上部蓋が閉じられる場合のみ、第２のＰＣＢはＬＥＤを発光させ消毒滅菌作業を開始するように駆動し、作業者の安全確保に有利であることと、
を含むことを特徴とする方法。
【発明の詳細な説明】
【技術分野】
【０００１】
本発明は、ＵＶ  ＬＥＤを使用した携帯式クリーニング歯ブラシケース及び消毒滅菌方法に関する。
【背景技術】
【０００２】
通常の歯ブラシの使用方法として、毎回歯を磨いた後に水で洗浄し、そのままカップに入れて、次回に再使用することが挙げられる。専門家の分析によると、このような使い方は、目に見えない細菌が歯ブラシに大量に発生するため、非常に非衛生的で、体の健康に良くない。
【発明の概要】
【発明が解決しようとする課題】
【０００３】
本発明の目的は、歯ブラシをより良く洗浄し、殺菌し、乾燥させるための携帯式歯ブラシ消毒ケースを提供することである。本発明の他の目的は、遮光蓋が歯ブラシケースを覆うと共に、上部蓋を閉じる場合のみ、ＬＥＤがＵＶ光を発射し、歯ブラシの自動洗浄を開始する消毒滅菌方法を提供することである。
【課題を解決するための手段】
【０００４】
本発明の技術案は、歯ブラシケースを含むＵＶ  ＬＥＤを使用した携帯式クリーニング歯ブラシケースであって、前記歯ブラシケース内に第１のＰＣＢが設置され、第１のＰＣＢの一端に第２のＰＣＢが直交する方向に嵌挿接続され、第２のＰＣＢの他端に電池が設置され、前記電池の一端側の第２のＰＣＢの端には、第１の電池ばねが設置され、前記第１の電池ばねの反対側の端には、第２の電池ばねが設置され、第１の電池ばねと第２の電池ばねとの間に電池が挟まれて設置され、第２の電池ばねと第２のＰＣＢとは電線を介して接続され、前記第１のＰＣＢには、ＬＥＤが設置され、前記第２のＰＣＢには、複数のスイッチユニットが設置されることを特徴とする、携帯式クリーニング歯ブラシケースである。
【０００５】
好ましくは、ＰＣプラスチック蓋が前記スイッチユニットの伸縮柱を覆うように設置され、前記ＰＣプラスチック蓋の内部凹み室に磁石が設置される。
【０００６】
好ましくは、ＵＶ  ＬＥＤ室の上に安全を確保するための遮光蓋が設置され、前記遮光蓋の底部の第２のＰＣＢの第１のスイッチユニットに対向する位置に第３の凹穴が設置され、第３の凹穴内に第３の磁石が設置され、前記第１のＰＣＢのＬＥＤとＵＶ  ＬＥＤ室との間には光透過板が挟まれる。
【０００７】
好ましくは、前記歯ブラシケースが、電池室と、遮光シリコーンシートで分割された歯ブラシ室及びＵＶ  ＬＥＤ室とで構成され、歯ブラシケースの底部によって水が電池室に入るのを防ぐための底部蓋で覆われ、底部蓋における電池室に位置する部位に電池蓋がピン接合され、歯ブラシケースの天面に上部蓋がピン接合され、上部蓋における第２のＰＣＢの第２のスイッチユニットに対向する位置に第４の凹穴が設置され、第４の凹穴内に第４の磁石が設置され、上部蓋には、歯ブラシ消毒ケースが作業しているかを観察するための貫通穴が設置され、前記貫通穴内に光透過プラグが設置され、第２のＰＣＢには、第１のスイッチユニットと第２のスイッチユニットとが設置され、前記２つのスイッチユニットにそれぞれ第１のＰＣプラスチック蓋と第２のＰＣプラスチック蓋が設置され、第１のＰＣプラスチック蓋と第２のＰＣプラスチック蓋内には第１の凹穴と第２の凹穴が設置され、第１の凹穴と第２の凹穴内にそれぞれ第１の磁石及び第２の磁石が設置され、歯ブラシケースは、ネジで底部蓋に取り付けられる。
【０００８】
好ましくは、前記歯ブラシケースの底部には、２つの角形溝が設置され、その上部に歯ブラシを固定するためのシリコーンパッドが設置され、前記シリコーンパッドが、それぞれ前記角形溝に嵌合する角形ブロックと、二つの角形ブロックの隣接する端から突き出すドームとからなる。
【０００９】
好ましくは、前記遮光蓋と歯ブラシケースとは、歯ブラシ室に位置する歯ブラシケースの側壁に設けられる留め金と留め溝によって固定され、前記遮光蓋の下側の空間に、歯ブラシをＬＥＤに向けるように配置して、上部蓋を閉じると、歯ブラシの自動洗浄を開始する。
【００１０】
好ましくは、前記第１のＰＣＢが、ＵＶ  ＬＥＤ室の外壁と、電池室に設けられる止めブロックとに挟まれて固定される。
【００１１】
本発明の他の技術案は、前記ＵＶ  ＬＥＤを使用した携帯式クリーニング歯ブラシケースにより消毒滅菌する方法であって、
（１）遮光蓋をＵＶ  ＬＥＤ室の上に取り付け、遮光蓋における第３の磁石が同極反発の原理により第２のＰＣＢにおける第１のスイッチユニットにおける第１の磁石を押し下げ、第１のスイッチユニットにおける第１の磁石及び第１のＰＣプラスチック蓋が歯ブラシケースにおける凹穴１内に下向きに摺動することにより、第１のスイッチの伸縮柱を圧縮して第１のスイッチユニットをＯＮにすることと、
（２）上部蓋を閉じると、上部蓋における第４の磁石が同極反発の原理により第２のＰＣＢにおける第２のスイッチユニットにおける第２の磁石を押し下げ、第２のスイッチユニットにおける第２の磁石及び第２のＰＣプラスチック蓋が歯ブラシケースにおける凹穴２内に下向きに摺動することにより、第２のスイッチの伸縮柱を圧縮して更に第２のスイッチユニットをＯＮにし、２つのスイッチユニットを同時にＯＮにすることにより、第２のＰＣＢは、ＬＥＤを発光させ消毒滅菌するように駆動することと、
（３）上部蓋を開くと、第２のＰＣＢにおける第２のスイッチユニットにおける第２の磁石に付与した圧力がなくなり、第２のスイッチの伸縮柱が自体の弾性力により第２のスイッチユニットにおける第２の磁石及び第２のＰＣプラスチック蓋を歯ブラシケースにおける凹穴２内に上向きに摺動して元の位置に戻るように押し上げることにより、第２のスイッチユニットをＯＦＦにし、第２のＰＣＢは、ＬＥＤの発光を停止させ消毒滅菌作業を停止するように駆動することと、
（４）遮光蓋を取り外すと、第２のＰＣＢにおける第１のスイッチユニットにおける第１の磁石に付与した圧力がなくなり、第１のスイッチの伸縮柱が自体の弾性力により第１のスイッチユニットにおける第１の磁石及び第１のＰＣプラスチック蓋を歯ブラシケースにおける凹穴１内に上向きに摺動して元の位置に戻るように押し上げることにより、第１のスイッチユニットをＯＦＦにし、第２のＰＣＢは、ＬＥＤの発光を停止させ消毒滅菌作業を停止するように駆動することと、
（５）上記ステップ（３）とステップ（４）のいずれかが発生する場合、第２のＰＣＢはＬＥＤの発光が停止して消毒滅菌作業が停止するように駆動し、遮光蓋がＵＶ  ＬＥＤ室の上に取り付けられると共に、上部蓋が閉じられる場合のみ、第２のＰＣＢがＬＥＤを発光させ消毒滅菌作業を開始するように駆動し、作業者の安全確保に有利であることと、を含む。
【発明の効果】
【００１２】
（１）本発明の上部蓋には、内部を見える透明な筐体が設置され、上部蓋の下には、歯ブラシを収容する歯ブラシケースが設置され、歯ブラシケースは、ベースにネジで取り付けられるため、水がその上から流れ落ちても、内部に浸入することはない。
（２）本発明のＬＥＤが第１のＰＣＢに設置され、光透過板がＵＶ  ＬＥＤ室における第１のＰＣＢのＬＥＤに対向する位置の開口部に貼り付けられることにより、水と異物がＬＥＤに浸入することを回避し、ＬＥＤからの光がよりよく内部に照射するようにする。
（３）ＬＥＤが作動する際に、発射されるＵＶ光が人間の皮膚や目に傷つける可能性がある。そのため、安全上の理由から、上部蓋を完全に閉じないままに磁石がスイッチを押し、ＬＥＤが上部蓋が閉じられていない場合に発光して作動することにより人の皮膚や目を傷つけることがないように、本発明には、特別に遮光蓋を設置する。上記状況が発生する場合、遮光蓋がＵＶ光を遮断し、ＵＶ光が人間の皮膚や目に直接照射されて傷つけることを回避できる。そして、遮光蓋が取り外された後、遮光蓋の下にある第２のＰＣＢにおける第１のスイッチの伸縮柱は、磁石に付与した圧力がなくなることにより突き出し、ＬＥＤ電源を切断するとともに、安全保護の役割を果たす。同じように、上部蓋を開けると、第２のＰＣＢにおける第２のスイッチの伸縮柱は、磁石に付与した圧力がなくなることにより突き出し、ＬＥＤ電源を切断する。つまり、遮光蓋が歯ブラシケースに取り付けられると共に、上部蓋を閉じる場合のみ、ＬＥＤがＵＶ光を発射し、歯ブラシの自動洗浄を開始する。
【図面の簡単な説明】
【００１３】
【図１】本発明による携帯式クリーニング歯ブラシケースの構造の分解図である。
【図２】本発明による携帯式クリーニング歯ブラシケースの概略構造組立図である。
【図３】図２に直交する概略構造図である。
【図４】図２のＬＥＤ側の断面図である。
【図５】図２の中部の断面図である。
【図６】図２の電池側の断面図である。
【図７】図２の遮光蓋側の断面図である。
【発明を実施するための形態】
【００１４】
以下、添付の図面を参照しながら、本発明をさらに詳細に説明する。
【００１５】
図１、図２、図３、図４及び図７に示すように、前記ＵＶ  ＬＥＤを使用した携帯式クリーニング歯ブラシケースは、前記歯ブラシケース１内に第１のＰＣＢ２１が設置され、前記第１のＰＣＢ２１の一端には、第２のＰＣＢ２２が直交する方向に嵌挿接続され、第２のＰＣＢ２２の他端に電池２３が設置され、前記電池２３の一端側の第２のＰＣＢ２２の端には、第１の電池ばね４１が設置され、前記第１の電池ばね４１の反対側の端には、第２の電池ばね４２が設置され、第１の電池ばね４１と第２の電池ばね４２の間に電池２３が挟まれて設置され、第２の電池ばね４２と第２のＰＣＢ２２とが電線５を介して接続され、前記第１のＰＣＢ２１には、ＬＥＤ６が設置され、前記第２のＰＣＢ２２には、第１のスイッチユニット７１と第２のスイッチユニット７２が取り付けられ、前記２つのスイッチユニットにそれぞれ第１のＰＣプラスチック蓋７１１と第２のＰＣプラスチック蓋７２１が設置され、第１のＰＣプラスチック蓋７１１と第２のＰＣプラスチック蓋７２１内には、第１の凹穴７１２と第２の凹穴７２２が備えられ、第１の凹穴７１２と第２の凹穴７２２内にそれぞれ第１の磁石７１３及び第２の磁石７２３が設置され、第１のＰＣプラスチック蓋７１１は、前記第１のスイッチユニット７１の伸縮柱７１４を覆うように設置され、第２のＰＣプラスチック蓋７２１は、前記第２のスイッチユニット７２の伸縮柱７２４を覆うように設置され、前記第１のＰＣプラスチック蓋７１１の第１の凹穴７１２内に第１の磁石７１３が設置され、前記第２のＰＣプラスチック蓋７２１の第２の凹穴７２２に第２の磁石７２３が設置される。
【００１６】
この実施形態では、ＵＶ  ＬＥＤ室１１の上に安全を確保するための遮光蓋８が設置され、前記遮光蓋８の第２のＰＣＢ２２の第１のスイッチユニット７１に対向する位置に第３の凹穴８１が設置され、第３の凹穴８１内に第３の磁石８２が設置され、前記第１のＰＣＢ２１のＬＥＤ６とＵＶ  ＬＥＤ室１１との間に光透過板３が挟まれる。
【００１７】
図３、図４、図５、図６及び図７に示すように、前記歯ブラシケース１は、電池室１１２と、遮光シリコーンシート１３で分割された歯ブラシ室１１１及びＵＶ  ＬＥＤ室１１とで構成され、歯ブラシケース１の底部が水が電池室１１２に入るのを防ぐための底部蓋１２で覆われ、底部蓋１２における電池室１１２に位置する部位に電池蓋１２１がピン接合され、歯ブラシケース１の天面に上部蓋１４がピン接合され、上部蓋１４には、歯ブラシ消毒ケースが作業しているかを観察するための貫通穴１１３が設置され、前記貫通穴内に光透過プラグ１５が設置され、歯ブラシケース１は、ネジ１２２で底部蓋１２に取り付けられる。
【００１８】
図３に示すように、前記歯ブラシケース１の底部には、２つの角形溝１２４が設置され、その上部には歯ブラシを固定するためのシリコーンパッド１２３が設置され、前記シリコーンパッド１２３は、それぞれ前記角形溝１２４内に嵌合する角形ブロックと、二つの角形ブロックの隣接する端から突き出すドームとからなる。
【００１９】
図５に示すように、前記遮光蓋８と歯ブラシケース１とは、歯ブラシ室１１１に位置する歯ブラシケース１の側壁に設けられる留め金１１４と留め溝１１５によって固定され、前記遮光蓋８の下側の空間に、歯ブラシをＬＥＤ６に向けるように配置して、上部蓋１４を閉じると、歯ブラシの自動洗浄を開始する。
【００２０】
図４、図５、図６及び図７に示すように、前記上部蓋１４は、一端が歯ブラシケース１と蝶番１６を介してピン接合し、他端が歯ブラシケース１と留め金１７を介して接続する。前記上部蓋１４の一端における第２のＰＣＢ２２の第２のスイッチユニット７２に対向する位置には、第４の凹穴１４４が設置され、第４の凹穴１４４内に第４の磁石１４５が設置される。遮光蓋８の底部における第２のＰＣＢ２２の第１のスイッチユニット７１に対向する位置には、第３の凹穴８１が設置され、第３の凹穴８１内に第３の磁石８２が設置される。歯ブラシケース１の底部と底部蓋１２には、ＵＶ光の外への出射を極小化させかつ貫通するドレーン１９が設置され、ドレーン１９において歯ブラシケース１と底部蓋１２との間に防水リング１９１が設置される。電池蓋１２１は、底部蓋１２の電池室１１２側にピン接合される。図５に示すように、前記第１のＰＣＢ２１が、ＵＶ  ＬＥＤ室１１の外壁と、電池室１１２内に設けられた止めブロック４３とに挟まれて固定される。
【００２１】
図１〜図７に示すように、前記ＵＶ  ＬＥＤを使用した携帯式クリーニング歯ブラシケースにより消毒滅菌する方法は、下記のステップを含む。
（１）遮光蓋８をＵＶ  ＬＥＤ室１１の上に取り付け、遮光蓋８における第３の磁石８２が、同極反発の原理により第２のＰＣＢ２２における第１のスイッチユニット７１における第１の磁石７１３を押し下げ、第１のスイッチユニット７１における第１の磁石７１３及び第１のＰＣプラスチック蓋７１１が、歯ブラシケース１における凹穴内に下向きに摺動することにより、第１のスイッチの伸縮柱７１４を圧縮して第１のスイッチユニット７１をＯＮにする。
（２）上部蓋１４を閉じると、上部蓋１４における第４の磁石１４５が、同極反発の原理により第２のＰＣＢ２２における第２のスイッチユニット７２における第２の磁石７２３を押し下げ、第２のスイッチユニット７２における第２の磁石７２３及び第２のＰＣプラスチック蓋７２１が歯ブラシケース１における凹穴内に下向きに摺動することにより、第２のスイッチの伸縮柱７２４を圧縮して第２のスイッチユニット７２をＯＮにし、２つのスイッチユニットを同時にＯＮにすることにより、第２のＰＣＢ２２はＬＥＤ６を発光させ消毒滅菌するように駆動する。
（３）上部蓋１４を開くと、第２のＰＣＢ２２における第２のスイッチユニット７２における第２の磁石７２３に付与した圧力がなくなり、第２のスイッチの伸縮柱７２４が自体の弾性力により第２のスイッチユニット７２における第２の磁石７２３及び第２のＰＣプラスチック蓋７２１を歯ブラシケース１における凹穴内に上向きに摺動して元の位置に戻るように押し上げることにより、第２のスイッチユニット７２をＯＦＦにし、第２のＰＣＢ２２はＬＥＤ６の発光を停止させ消毒滅菌作業を停止するように駆動する。
（４）遮光蓋８を取り外すと、第２のＰＣＢ２２における第１のスイッチユニット７１における第１の磁石７１３に付与した圧力がなくなり、第１のスイッチの伸縮柱７１４が自体の弾性力により第１のスイッチユニット７１における第１の磁石７１３及び第１のＰＣプラスチック蓋７１１を歯ブラシケースにおける凹穴内に上向きに摺動して元の位置に戻るように押し上げることにより、第１のスイッチユニット７１をＯＦＦにし、第２のＰＣＢ２２はＬＥＤ６の発光を停止さえ消毒滅菌作業を停止するように駆動する。
（５）上記ステップ（３）とステップ（４）のいずれかが発生する場合、第２のＰＣＢ２２はＬＥＤ６の発光が停止して消毒滅菌作業が停止するように駆動し、遮光蓋８がＵＶ  ＬＥＤ室１１の上に取り付けられると共に、上部蓋１４が閉じられる場合のみ、第２のＰＣＢ２２はＬＥＤ６を発光させ消毒滅菌作業が開始するように駆動し、作業者の安全確保に有利である。
【産業上の利用可能性】
【００２２】
上記の説明は、本発明の好ましい実施形態に過ぎず、本発明の特許請求の範囲に従って行われる同等の変更及び修正は、いずれも本発明の特許請求の範囲に含まれるものとする。
【符号の説明】
【００２３】
１...歯ブラシケース
１１...ＵＶ  ＬＥＤ室
１１１...歯ブラシ室
１１２...電池室
１１３...貫通穴
１１４...留め金
１１５...留め溝
１２...底部蓋
１２１...電池蓋
１２２...ネジ
１２３...シリコーンパッド
１２４...角形溝
１３...遮光シリコーンシート
１４...上部蓋
１４４...第４の凹穴
１４５...第４の磁石
１５...光透過プラグ
１６...蝶番
１７...留め金
１９...ドレイン
１９１...防水リング
２１...第１のＰＣＢ
２２...第２のＰＣＢ
２３...電池
３...光透過板
４１...第１の電池ばね
４２...第２の電池ばね
４３...止めブロック
５...電線
６...ＬＥＤ
７１...第１のスイッチユニット
７１１...第１のＰＣプラスチック蓋
７１２...第１の凹穴
７１３...第１の磁石
７１４...第１の伸縮柱
７２...第２のスイッチユニット
７２１...第２のＰＣプラスチック蓋
７２２...第２の凹穴
７２３...第２の磁石
７２４...第２の伸縮柱
８...遮光蓋
８１...第３の凹穴
８２...第３の磁石
【図１】
2020525091.tif 000003
【図２】
2020525091.tif 000004
【図３】
2020525091.tif 000005
【図４】
2020525091.tif 000006
【図５】
2020525091.tif 000007
【図６】
2020525091.tif 000008
【図７】
2020525091.tif 000009
【国際調査報告】
2020525091.tif 000010
2020525091.tif 000011
2020525091.tif 000012
2020525091.tif 000013
2020525091.tif 000014